(57)【特許請求の範囲】
【請求項１】
感熱板と、空気室と、ダイアフラムと、接点機構とを感知器本体の下部に備え、該接点機構が該感知器本体と該ダイアフラムとの間に設けられた移動接点バネと固定接点バネとからなり、該感熱板が受熱した熱により該空気室内の空気が膨張して該ダイアフラムが変位し、その変位に連動して該移動接点バネが移動して該固定接点バネに接触し、それにより該接点機構を閉じて火災信号を出力するよう構成された差動式熱感知器において、
該移動接点バネと該固定接点バネの何れか一方を、長さ方向において平らに形成された全体として平板状の板バネであって、一端側が固定部で該感知器本体に固定されると共に、該感知器本体より該ダイアフラム側に突出して設けられた押圧部によって該ダイアフラム側に押圧されて、該ダイアフラム側に向かって所定の角度で曲げられた状態で該感知器本体に取り付けられる板バネによって構成したことを特徴とする差動式熱感知器。
【請求項２】
該板バネは該固定部で回路基板を貫通した固定ネジにより該回路基板と該感知器本体とに挟まれて該感知器本体に固定され、該板バネは該回路基板の側縁部に当接する位置を支点として該ダイアフラム側に曲げられるものであることを特徴とする請求項１に記載の差動式熱感知器。
【発明の詳細な説明】
【技術分野】
【０００１】
この発明は、差動式熱感知器に関し、より詳細には接点機構が板バネにより構成された差動式熱感知器に関する。
【背景技術】
【０００２】
差動式熱感知器は、一般に、本体の下部に空気室を備えており、火災時、空気室内の空気が膨張するのを利用して火災を検出するものであり、具体的には、空気室下部の感熱板が火災時の熱を受熱して、空気室内の空気が膨張するのを利用して、空気室上部のダイアフラムを変位させ、それにより接点機構を閉じて火災を検出するものとなっている。
【０００３】
この種の差動式熱感知器において、接点機構は、ダイアフラムの変位に連動して移動する移動接点と、その移動接点が離接する固定接点とから構成されているが、従来の接点機構はそれを構成する移動接点と固定接点に何れも長さ方向において曲げて形成された板バネが用いられており、それら板バネが自身の曲げの角度に従って本体側からダイアフラム側に立ち上がるように本体に取り付けられたものとなっている（例えば、特許文献１参照）。
【先行技術文献】
【特許文献】
【０００４】
【特許文献１】特開平５−２５０５８０号公報
【発明の概要】
【発明が解決しようとする課題】
【０００５】
しかしながら、従来の差動式熱感知器においては、その接点機構が前記のように構成され、移動接点と固定接点との接点間隔が板バネ自体の曲げの角度に依存するものとなっており、板バネ自体の曲げの角度に個体差があれば、それにより接点間隔に個体差が生じるものとなっている。この接点間隔の個体差は、火災感知器の感度に個体差を生じさせてしまうことになるので、勿論好ましいものではない。
【０００６】
この発明は、前記の事情に鑑み、接点機構を構成する板バネの曲げの角度に個体差が生じるのを防ぎ、接点間隔に個体差が生じるのを防ぐことができる差動式熱感知器を提供することを目的とする。
【課題を解決するための手段】
【０００７】
この発明は、感熱板と、空気室と、ダイアフラムと、接点機構とを感知器本体の下部に備え、該接点機構が該感知器本体と該ダイアフラムとの間に設けられた移動接点バネと固定接点バネとからなり、該感熱板が受熱した熱により該空気室内の空気が膨張して該ダイアフラムが変位し、その変位に連動して該移動接点バネが移動して該固定接点バネに接触し、それにより該接点機構を閉じて火災信号を出力するよう構成された差動式熱感知器において、該移動接点バネと該固定接点バネの何れか一方を、長さ方向において平らに形成された全体として平板状の板バネであって、一端側が固定部で該感知器本体に固定されると共に、該感知器本体より該ダイアフラム側に突出して設けられた押圧部によって該ダイアフラム側に押圧されて、該ダイアフラム側に向かって所定の角度で曲げられた状態で該感知器本体に取り付けられる板バネによって構成したことを特徴とする差動式熱感知器である。
【０００８】
又、この発明は、該板バネは該固定部で回路基板を貫通した固定ネジにより該回路基板と該感知器本体とに挟まれて該感知器本体に固定され、該板バネは該回路基板の側縁部に当接する位置を支点として該ダイアフラム側に曲げられるものであることを特徴とする前記の差動式熱感知器である。
【発明の効果】
【０００９】
この発明においては、移動接点バネと固定接点バネの何れか一方が、長さ方向において平らに形成された全体として平板状の板バネであって、一端側の固定部で感知器本体に固定されると共に、感知器本体よりダイアフラム側に突出して設けられた押圧部によってダイアフラム側に押圧されて、ダイアフラム側に向かって所定の角度で曲げられた状態で感知器本体に取り付けられる板バネによって構成されているので、その板バネによって構成される接点バネは、ダイアフラム側への曲げの角度、即ちダイアフラム側への立ち上がりの角度に個体差が生じることがなく、その角度の個体差により接点間隔に個体差が生じるのを防ぐことができるものとなっている。
【００１０】
従って、この発明によれば、接点機構を構成する板バネの曲げの角度に個体差が生じるのを防ぎ、接点間隔に個体差が生じるのを防ぐことができる差動式熱感知器を提供することができる。
【図面の簡単な説明】
【００１１】
【図１】この発明の一実施形態に係る差動式熱感知器を示し、その全体の断面図である。
【図２】同上の接点ばね（移動側）のみを示し、感知器に取り付けられていない状態における斜視図である。
【図３】同上の感知器本体部分（空気室やベース等を取り外した状態）を示し、接点機構が取り付けられている状態におけるその取り付け部分を断面にした斜視図（視点は下面側）である。
【図４】同上の接点バネ（移動側）の感知器本体への取り付け部分を示し、（ａ）は各部品が分解された状態、（ｂ）が各部品が取り付けられた状態の要部拡大断面図である。
【発明を実施するための形態】
【００１２】
この発明の差動式熱感知器の実施の形態を図１乃至４に基づき説明する。
【００１３】
図１に示されるように、差動式熱感知器１は、取付ベース２の下部にそれと刃金具３，４により電気的且つ機械的に接続される感知器本体（以下、本体という）５と、その本体５の下部に設けられている空気室６と、空気室６の下部を画定している感熱板７と、空気室６の上部に連続して設けられているダイアフラム８と、本体５とダイアフラム８との間に設けられている接点機構９とを備えており、感熱板７が受熱した火災時の熱によって空気室６内の空気が急激に膨張してダイアフラム８が押し上げられると、それに連動して接点機構９が閉じて火災信号を出力するようになっている。尚、この感知器１には、空気室６と外部を連通させる図示しないリーク孔が設けられており、日常の気温変化等による空気室６内の空気の緩慢な膨張収縮の変化については、そのリーク孔を介した空気の出入りにより打ち消されて接点機構９が閉じないようになっている。
【００１４】
接点機構９は、移動接点バネ１０と固定接点バネ１１とから構成され、それぞれの接点部１０ａと１１ａは上下方向で対向し、常時はそれら接点部１０ａと１１ａは離間し、両者間には上下方向の接点間隔が形成されるものとなっている。そして、接点機構９中、移動接点バネ１０がダイアフラム８の変位に連動して移動するようになっており、火災時には、ダイアフラム８の上方への変位に連動して移動接点バネ１０が上方に移動して、その接点部１０ａと固定接点バネ１１の接点部１１ａとが接触することで接点を閉じるようになっている。
【００１５】
この接点機構９において、移動接点バネ１０は、ダイアフラム８の変位に連動して移動するよう構成され、ダイアフラム８との当接部１０ｂを接点部１０ａの背面側に有している。本実施の形態において、移動接点バネ１０の当接部１０ｂは常時からダイアフラム８と接触するものになっており、ダイアフラム８が変位すれば、それに連動して直ちに移動するものになっており、又、移動接点バネ１０の当接部１０ｂは樹脂等の絶縁材料で形成され、ダイアフラム８側に突出する突状をなすものになっている。
【００１６】
本実施の形態において、接点機構９中、移動接点バネ１０は、長さ方向において平らに形成された板バネ、具体的には図２に示されるように全体として平板状の板バネが用いられている。この移動接点バネ１０には、その長さ方向一端側に周縁が固定部１０ｃとなる貫通孔１０ｄが形成され、他端側の表裏に前記の接点部１０ａと当接部１０ｂがそれぞれ設けられている。尚、１０ｈは、本体５の下面５ｂ側に設けられた略円柱状の移動接点バネ１０の回り止め２１が挿通される穴である。
【００１７】
移動接点バネ１０は、固定部１０ｃで本体５に固定されているが、本実施の形態においては、図４にその詳細が示されるように、貫通孔１０ｄに回路基板１２を貫通した固定ネジ１３が貫通し、その固定ネジ１３が本体５のボス１４を貫通し、移動接点バネ１０を回路基板１２と本体５とで挟み、上面５ａに設けられた刃金具３に螺合され、回路基板１２と本体５が共締めされて固定されている。
【００１８】
又、移動接点バネ１０は、前記の通りそれ自体は平板状に形成されたものであるが、本体５に取り付けられている状態においては、本体５の下面５ｂに設けられている押圧部１５によりダイアフラム８側に押圧されて、ダイアフラム８側に所定の角度で曲げられた状態になるものとなっている。即ち、移動接点バネ１０は、その曲げの角度に個体差を生じさせることがないものとなっており、移動接点バネ１０の曲げの角度に個体差が生じるのを防ぐことができ、その曲げの角度による固定接点バネ１１との接点間隔に個体差が生じるのを防ぐことができるものとなっている。更に、従来の差動式熱感知器では、移動接点バネの曲げの角度のばらつきによって、ダイアフラムと接触する距離に個体差が生じたためにダイアフラムが過度に負荷を受けるものであった。一方、本実施の形態では、ダイアフラム８と接触する距離に個体差は生じずにダイアフラム８は均一に負荷を受け、感知器の感度が安定する。尚、移動接点バネ１０は、本実施の形態においては、前記のように回路基板１２と共締めされて本体５に取り付けられており、回路基板１２の側縁部１２ａに当接しながら、その当接する位置を支点１０ｅとして、押圧部１５により曲げられたものになっているが、例えば、回路基板１２を共締めせずに、取付ネジ１３の頭部の周縁部で固定部１０ｃの位置を支点として曲げられるようにしてもよいし、他の部材を共締めして、その部材に当接する位置を支点として曲げられるようにしてもよい。
【００１９】
更に、移動接点バネ１０には、その略中間両側縁部に長さ方向に延在する一対の切り欠き部１０ｆが設けられている。この切り欠き部１０ｆに対応して本体５の下面５ｂに円柱状のガイド体１９が設けられており、移動接点バネ１０はダイアフラム８の変位に連動して上下に移動する際に、これらガイド１９のガイドを受けることができるようになっている。尚、移動接点バネ１０の挿通穴１０ｈには、本体５の下面５ｂに設けられた円柱状の移動接点バネ１０の回り止め２１が挿通されており、移動接点バネ１０が水平方向に回転するのを防ぐことができるようになっている。
【００２０】
押圧部１５の先端１５ａは、略半球状をなし、移動接点バネ１０の固定部１０ｃが当接するボス１４先端の固定面１４ａよりダイアフラム８側に位置するものとなっており、これにより固定面１４ａ上に固定される移動接点バネ１０をダイアフラム８側に押し曲げることができるようになっている。尚、移動接点バネ１０のダイアフラム８側への曲げの角度は、押圧部１５の先端１５ａと固定面１４ａとの縦方向の位置関係と、押圧部１５と移動接点バネ１０の曲げの支点１０ｅと横方向の位置関係とにより決定することができる。従って、例えば、押圧部１５の縦方向又は横方向の位置を可変にして、移動接点バネ１０の曲げの角度を調整可能にすることもできる。更に、押圧部１５を縦方向の位置を可変にする調整ネジにすれば、調整ネジ１８が不要となったり、調整ネジ１８と組み合わせることで、より高精度に感度を調整できる。
【００２１】
固定接点バネ１１は、移動接点バネと同様、固定部となる貫通孔を有しており、その貫通孔に固定ネジ１６が挿通されて、固定ネジ１６は本体５のボス１７を貫通し、上面５ａ側で刃金具４に螺合されている（図１は固定ネジ１６が回路基板１２と本体５を共締めしない場合を示し、図３は固定ネジ１６が回路基板１２と本体５を共締めする場合を示している）。この固定接点バネ１１は、本実施の形態においては、長さ方向において折り曲げて形成された板バネが用いられている。具体的には、固定接点バネ１１は、本体５に取り付けられている状態において、ダイアフラム８側へ向かう折り曲げ部１１ｂとそれに連続する本体５側へ向かう折り曲げ部１１ｃとを有するものが用いられている。固定接点バネ１１は、長さ方向において折り曲げられた板バネが用いられており、その折り曲げの角度に個体差が生じ得るものとなっているが、本実施の形態においては、固定接点バネ１１の接点部１１ａの裏面側から固定接点バネ１１に先端１８ａが接触し、上下方向に進退可能に本体５に螺合して設けられた調整ネジ１８が設けられており、この調整ネジ１８を上下方向に進退させることで、固定接点バネ１１の接点部１１ａの上下の位置を調整できるようになっており、即ち、移動接点バネ１０との接点間隔を調整できるようになっている。尚、この固定接点バネ１１の接点部１１ａ側の端部は折り曲げ部１１ｃにより本体５側へ傾斜しているが、その傾斜角は、移動接点バネ１０の曲げの角度と略同じになるようになっている。
【００２２】
上記の実施の形態においては、移動接点バネ１０を平らな板バネ１０とする例を示したが、固定接点バネ１１を、長さ方向において平らな板バネを用い、本体５に固定接点バネ１１用のダイアフラム８側への押圧部を設け、その押圧部によりダイアフラム８側へ押し曲げられるものとしてもよく、そのようにすれば、固定接点バネ１１の曲げの角度に個体差が生じないようにすることができ、その曲げの角度による移動接点バネ１０との接点間隔に個体差が生じないようにすることができる。
【００２３】
以上説明したように、差動式熱感知器１は、移動接点バネ１０が長さ方向において平らに形成された板バネであって、一端側の固定部１０ｃで本体５に固定されると共に、本体５よりダイアフラム８側に突出して設けられた押圧部１５によってダイアフラム８側に押圧されて、ダイアフラム８側に向かって所定の角度で曲げられた状態で本体５に取り付けられる板バネによって構成されているので、その板バネによって移動接点バネ１０は、ダイアフラム８側への曲げの角度、即ちダイアフラム８側への立ち上がりの角度に個体差が生じることがなく、その角度の個体差により接点機構９の接点間隔に個体差が生じるのを防ぐことができるものとなっている。
【符号の説明】
【００２４】
１        差動式熱感知器            ２        取付ベース
３        刃金具                    ４        刃金具
５        本体                      ５ａ      上面
５ｂ      下面                      ６        空気室
７        感熱板                    ８        ダイアフラム
９        接点機構                  １０      移動接点バネ
１０ａ    接点部                    １０ｂ    当接部
１０ｃ    固定部                    １０ｄ    貫通孔
１０ｅ    支点                      １０ｆ    切り欠き部
１１      固定接点バネ              １１ａ    接点部
１１ｂ    折り曲げ部                １１ｃ    折り曲げ部
１２      回路基板                  １２ａ    側縁部
１３      固定ネジ                  １４      ボス
１５      押圧部                    １６      固定ネジ
１７      ボス                      １８      調整ネジ
１８ａ    先端                      １９      ガイド体
２１      回り止め
【図１】
0005384377.tif 000002
【図２】
0005384377.tif 000003
【図３】
0005384377.tif 000004
【図４】
0005384377.tif 000005